(57)【要約】【課題】本発明はＰＯＳ端末機から収集される個人情報を利用して、顧客の趣向に合わせるコンテンツを選択的に組み合わせ、配布してディスプレイすることが出来る知能型コンテンツ利用システム及びその利用方法に関する。【解決手段】本発明の知能型コンテンツ利用システムは、売り場内に設けられる顧客の個人情報を収集するＰＯＳ端末機１１０；前記ＰＯＳ端末機１１０と、支店ＤＢ１２１、及びディスプレイ装置１３０とに連動し、前記顧客の個人情報を送受信する支店サーバ１２０；及びインターネット網２００を経て前記支店サーバ１２に連結され、かつ、コンテンツ保存ＤＢ３１１と、参照情報サーバ３２１、及び多数のメディアサーバ３２２、３２３、３２４とに連結されて、前記顧客の個人情報と、前記参照情報サーバ３２１の参照情報に対応するコンテンツ情報を送受信する本社サーバ３１０；とが含まれる構成である。【選択図】図１
2014510983.tif 000002
【特許請求の範囲】
【請求項１】
売り場内に設けられて顧客の個人情報を収集するＰＯＳ端末機１１０；
前記ＰＯＳ端末機１１０と、支店ＤＢ１２１、及びディスプレイ装置１３０に連動されて前記顧客の個人情報を送受信する支店サーバ１２０；及びインターネット網２００を経て前記支店サーバ１２０に連結され、かつ、コンテンツ保存ＤＢ３１１と、参照情報サーバ３２１、及び多数のメディアサーバ３２２、３２３、３２４とに連結されて、前記顧客の個人情報と前記参照情報サーバ３２１の参照情報に対応するコンテンツ情報を送受信する本社サーバ３１０；とが含まれる事を特徴とする知能型コンテンツ利用システム。
【請求項２】
前記個人情報には、氏名、年齢、性別、訪問回数、最終訪問時点が含まれる事を特徴とする請求項１に記載の知能型コンテンツ利用システム。
【請求項３】
前記参照情報は、前記支店サーバ１２０が所在する地域の天気予報を含む天候、季節に関する情報、前記地域の文化行事情報、文化芸術観覧情報、各年齢代別に人気がある歌手、音楽、関心がある各種情報、及び前記顧客が前記コンテンツをずっと以前に視聴したことがあるかの可否に関するヒストリー情報が含まれる事を特徴とする請求項１に記載の知能型コンテンツ利用システム。
【請求項４】
前記支店サーバ１２０は、前記本社サーバ３１０から受けた前記顧客の個人情報と、参照情報とに対応するコンテンツ情報、及び前記コンテンツ情報のディスプレイ時間に関する時間設定情報を支店ＤＢ１２１に保存する事を特徴とする請求項１に記載の知能型コンテンツ利用システム。
【請求項５】
前記ディスプレイ装置１３０は、ＴＶ、壁掛けＴＶ、及びスクリーン装置の中の一つである事を特徴とする請求項１に記載の知能型コンテンツ利用システム。
【請求項６】
売り場に設けられるＰＯＳ端末機１１０から訪問顧客の個人情報を収集して支店サーバ１２０に伝送し認識する段階；
前記支店サーバ１２０から有無線インターネット網２００を経て、多数の訪問顧客に関するコンテンツ要求情報を本社サーバ３１０に伝送する段階；
前記本社サーバ３１０から参照情報を利用して、前記コンテンツ要求情報に対応するメディアコンテンツを前記支店サーバ１２０に伝送する段階；及び
前記支店サーバ１２０からディスプレイ装置１３０を通じて前記メディアコンテンツをディスプレイする段階；
とが含まれる事を特徴とする知能型コンテンツ利用方法。
【請求項７】
前記訪問顧客の個人情報には、氏名、年齢、性別、訪問回数、最終訪問時点が含まれる事を特徴とする請求項６に記載の知能型コンテンツ利用方法。
【請求項８】
前記参照情報には、前記支店サーバ１２０が所在する地域の天気予報を含む天候、季節に関する情報、前記地域の文化行事情報、文化芸術観覧情報、各年齢代別に人気がある歌手、音楽、関心がある各種情報、及び前記顧客が前記コンテンツをずっと以前に視聴したことがあるかの可否に関するヒストリー情報が含まれる事を特徴とする請求項６に記載の知能型コンテンツ利用方法。
【請求項９】
前記支店サーバ１２０に伝送する段階において、前記メディアコンテンツは、コンテンツ保存ＤＢ３１１から選び出して伝送する事を特徴とする請求項６に記載の知能型コンテンツ利用方法。
【請求項１０】
前記支店サーバ１２０に伝送する段階において、多数のメディアサーバ３２２、３２３、３２４から前記メディアコンテンツを直接受信して伝送する事を特徴とする請求項６に記載の知能型コンテンツ利用方法。
【請求項１１】
前記ディスプレイする段階において、前記メディアコンテンツをディスプレイ装置１３０から実時間にディスプレイされるか、または、前記支店サーバ１２０に連動する支店ＤＢ１２１に、時間設定情報と一緒に前記メディアコンテンツを保存し、前記ディスプレイ装置１３０から時間設定情報による時間にディスプレイされるようにする事を特徴とする請求項６に記載の知能型コンテンツ利用方法。
【発明の詳細な説明】
【技術分野】
【０００１】
本発明は、知能型コンテンツ利用システム及びその利用方法に関し、もう詳しくは、ＰＯＳ端末機を通して収集された個人情報を利用して、顧客の趣向に合わせるコンテンツを選択的に組み合わせて配布し、ディスプレイすることが出来る知能型コンテンツ利用システム及びその利用方法に関する。
【背景技術】
【０００２】
最近に、各種Ａ／Ｖメディアの伝送、及び貯蔵技術の発展によりユーザーが接することが出来るコンテンツが幾何級数的に増えている。特に、デジタル放送、及び超高速インターネットインフラの拡充と、各種Ａ／Ｖ機器の大容量化は、ユーザーにとって何時でも幾多のコンテンツを楽しめるようにする。
【０００３】
ところで、このようなコンテンツの量増加は、ユーザーが願うことを探す時間と努力を長大にする。この問題を解決するためインターフェース技術が色々な方式に開発されており、その中でユーザーの性向に基づいたコンテンツシステムは、ユーザーの負担を減らしてあげる新たな方法で試みられているものの、いまだ盛んに活用されていない実情であり、音楽、ビデオ、ゲーム等のデジタルコンテンツをサーバ装置からインターネットや、デジタル放送のような通信ネットワークを経て端末装置に分配、または端末装置によるそのコンテンツの利用を可能にする。一般に利用されているコンテンツシステムでは、デジタルコンテンツの著作権保護のために、悪意のあるユーザー、または、他人によるコンテンツの不法使用を防止する著作権保護技術が適用されている。この著作権保護技術は、ユーザーによるコンテンツの再生、及び暗号化／復号化技術で記録媒体に保存する等の場合に、コンテンツ利用を適法な範囲で制御する技術である。
【０００４】
このようなシステムでは、ユーザーが端末装置を使用してコンテンツを利用する時に、適法性を示す利用実績が与えられることによって、サーバ装置によるコンテンツ評価を取得することが出来るシステムを含めている。
【０００５】
しかし、このようなコンテンツ分配システムは、ユーザー各自の性向を正確に把握することができない、さらに多数のユーザー各々に適宜なメディアコンテンツを選択的に組み合わせて配布し、ディスプレイすることが出来ない構成である。
【発明の概要】
【発明が解決しようとする課題】
【０００６】
本発明の目的は、訪問顧客各自の性向を把握することが出来、多数の顧客各自に合わせるようにメディアコンテンツを選択的に組み合わせて配布し、ディスプレイすることが出来る知能型コンテンツ利用システムを提供することである。
【０００７】
本発明の他の目的は、訪問顧客各自の性向を満足させることが出来、多数の顧客各自に合わせるように、メディアコンテンツを選択的に組み合わせて配布し、ディスプレイすることが出来る知能型コンテンツ利用方法を提供することである。
【課題を解決するための手段】
【０００８】
このような目的を具現する本発明の知能型コンテンツ利用システムは、売り場内に設けられて顧客の個人情報を収集するＰＯＳ端末機１１０；前記ＰＯＳ端末機１１０と、支店ＤＢ１２１、及びディスプレイ装置１３０とに連動されて、前記顧客の個人情報を送受信する支店サーバ１２０；及びインターネット網２００を通じて前記支店サーバ１２０に連結され、かつ、コンテンツ保存ＤＢ３１１と、参照情報サーバ３２１、及び多数のメディアサーバ３２２、３２３、３２４とに連結されて、前記顧客の個人情報と前記参照情報サーバ３２１の参照情報に対応するコンテンツ情報を送受信する本社サーバ３１０が含まれる事を特徴とする。
【０００９】
また、本発明の知能型コンテンツ利用システムは、個人情報に氏名、年齢、性別、訪問回数、最終訪問時点が含まれる事を特徴とする。
【００１０】
また、本発明の知能型コンテンツ利用システムは、前記参照情報に前記支店サーバ１２０が所在する地域の天気予報を含む天候や季節に関する情報、前記地域の文化行事情報、文化芸術観覧情報、各年齢代別に人気がある歌手、音楽、関心がある各種情報、及び前記顧客が前記コンテンツをずっと以前に視聴したことがあるかの可否に関するヒストリー情報が含められる事を特徴とする。
【００１１】
また、本発明の知能型コンテンツ利用システムにおいて、前記支店サーバ１２０は前記本社サーバ３１０から前記顧客の個人情報と参照情報とに対応するコンテンツ情報、及び前記コンテンツ情報のディスプレイ時間に関する時間設定情報を支店ＤＢ１２１に保存する事を特徴とする。
【００１２】
また、本発明の知能型コンテンツ利用システムにおいて、前記ディスプレイ装置１３０はＴＶ、壁掛けＴＶ、及びスクリーン装置の中の一つである事を特徴とする。
【００１３】
また、本発明の知能型コンテンツ利用方法は、売り場に設けられるＰＯＳ端末機１１０から訪問顧客の個人情報を受信し支店サーバ１２０に伝送し認識する段階；前記支店サーバ１２０から有無線インターネット網２００を経て、多数の訪問顧客に関するコンテンツ要求情報を、本社サーバ３１０に伝送する段階；前記本社サーバ３１０から参照情報を利用して前記コンテンツ要求情報に対応するメディアコンテンツを、前記支店サーバ１２０に伝送する段階；及び前記支店サーバ１２０からディスプレイ装置１３０を通じて、前記メディアコンテンツをディスプレイする段階；が含まれる事を特徴とする。
【００１４】
また、本発明の知能型コンテンツ利用方法において、前記参照情報は前記支店サーバ１２０が所在する地域の天気予報を含む天候、季節に関する情報、前記地域の文化行事情報、文化芸術観覧情報、各年齢代別に人気がある歌手、音楽、関心がある各種情報、及び前記顧客が前記コンテンツをずっと以前に視聴したことがあるかの可否に関するヒストリー情報が含まれる事を特徴とする。
【００１５】
また、本発明の知能型コンテンツ利用方法において、前記支店サーバ１２０に伝送する段階は、前記メディアコンテンツをコンテンツ保存ＤＢ３１１から選び出して伝送する事を特徴とする。
【００１６】
また、本発明の知能型コンテンツ利用方法において、前記支店サーバ１２０に伝送する段階は、多数のメディアサーバ３２２、３２３、３２４から前記メディアコンテンツを直接受信して伝送する事を特徴とする。
【００１７】
また、本発明の知能型コンテンツ利用方法において、前記ディスプレイする段階は、前記メディアコンテンツをディスプレイ装置１３０から実時間にディスプレイされるか、または、前記支店サーバ１２０に連動する支店ＤＢ１２１に、時間設定情報と一緒に前記メディアコンテンツを保存し、前記ディスプレイ装置１３０から時間設定情報による時間にディスプレイされるようにする事を特徴とする。
【発明の効果】
【００１８】
本発明は、簡単にＰＯＳ端末機を通して収集された顧客の個人情報を本社サーバに伝送し、参照情報を利用して多数の訪問顧客を満足させることが出来るメディアコンテンツをディスプレイすることによって売り場に対する好感を増進させて、売り上げが増加させられる効果がある。
【図面の簡単な説明】
【００１９】
【図１】本発明の実施例による知能型コンテンツ利用システムを示した構成図である。
【図２】本発明の実施例による知能型コンテンツ利用方法を説明するためのフローチャートである。
【図３】本発明の実施例による知能型コンテンツ利用方法を説明するための例示図。
【図４】本発明の実施例による知能型コンテンツ利用方法を説明するための例示図。
【発明を実施するための形態】
【００２０】
このような目的を具現する本発明の知能型コンテンツ利用システムは、売り場内に設けられて顧客の個人情報を収集するＰＯＳ端末機１１０；前記ＰＯＳ端末機１１０と、支店ＤＢ１２１、及びディスプレイ装置１３０とに連動されて、前記顧客の個人情報を送受信する支店サーバ１２０；及びインターネット網２００を通じて前記支店サーバ１２０に連結され、かつ、コンテンツ保存ＤＢ３１１と、参照情報サーバ３２１、及び多数のメディアサーバ３２２、３２３、３２４とに連結されて、前記顧客の個人情報と前記参照情報サーバ３２１の参照情報に対応するコンテンツ情報を送受信する本社サーバ３１０；とが含まれる事を特徴とする。
【００２１】
本発明の知能型コンテンツ利用システムは、個人情報に氏名、年齢、性別、訪問回数、最終訪問時点が含まれる事を特徴とする。
【００２２】
本発明の知能型コンテンツ利用システムは、前記参照情報に前記支店サーバ１２０が所在する地域の天気予報を含む天候、季節に関する情報、前記地域の文化行事情報、文化芸術観覧情報、各年齢代別に人気がある歌手、音楽、関心がある各種情報、及び前記顧客が前記コンテンツをずっと以前に視聴したことがあるかの可否に関するヒストリー情報が含まれる事を特徴とする。
【００２３】
本発明の知能型コンテンツ利用システムにおいて、前記支店サーバ１２０は前記本社サーバ３１０から前記顧客の個人情報と参照情報とに対応するコンテンツ情報、及び前記コンテンツ情報のディスプレイ時間に関する時間設定情報を支店ＤＢ１２１に保存する事を特徴とする。
【００２４】
本発明の知能型コンテンツ利用システムにおいて、前記ディスプレイ装置１３０はＴＶ、壁掛けＴＶ、及びスクリーン装置の中の一つである事を特徴とする。
【００２５】
本発明の知能型コンテンツ利用方法は、売り場に設けられるＰＯＳ端末機１１０から訪問顧客の個人情報を受信し支店サーバ１２０に伝送し認識する段階；前記支店サーバ１２０から有無線インターネット網２００を経て、多数の訪問顧客に関するコンテンツ要求情報を、本社サーバ３１０に伝送する段階；前記本社サーバ３１０から参照情報を利用して前記コンテンツ要求情報に対応するメディアコンテンツを、前記支店サーバ１２０に伝送する段階；及び前記支店サーバ１２０からディスプレイ装置１３０を通じて、前記メディアコンテンツをディスプレイする段階；が含まれる事を特徴とする。
【００２６】
本発明の知能型コンテンツ利用方法において、前記参照情報は前記支店サーバ１２０が所在する地域の天気予報を含む天候、季節に関する情報、前記地域の文化行事情報、文化芸術観覧情報、各年齢代別に人気がある歌手、音楽、関心がある各種情報、及び前記顧客が前記コンテンツをずっと以前に視聴したことがあるかの可否に関するヒストリー情報が含まれる事を特徴とする。
【００２７】
本発明の知能型コンテンツ利用方法において、前記支店サーバ１２０に伝送する段階は、前記メディアコンテンツをコンテンツ保存ＤＢ３１１から選び出して伝送する事を特徴とする。
【００２８】
本発明の知能型コンテンツ利用方法において、前記支店サーバ１２０に伝送する段階は、多数のメディアサーバ３２２、３２３、３２４から前記メディアコンテンツを直接受信して伝送する事を特徴とする。
【００２９】
本発明の知能型コンテンツ利用方法において、前記ディスプレイする段階は、前記メディアコンテンツをディスプレイ装置１３０から実時間にディスプレイされるか、または、前記支店サーバ１２０に連動する支店ＤＢ１２１に、時間設定情報と一緒に前記メディアコンテンツを保存し、前記ディスプレイ装置１３０から時間設定情報による時間にディスプレイされるようにする事を特徴とする。
【００３０】
以下、添付した図面を参照して本発明の実施例を詳細に説明する。
【００３１】
図１は、本発明の実施例による知能型コンテンツ利用システムを示した構成図である。
【００３２】
図１に示したように、本発明の一つ実施例による知能型コンテンツ利用システムは、ＰＯＳ（ｐｏｉｎｔ  ｏｆ  ｓａｌｅ）端末機１１０と支店ＤＢ１２１に連動する支店サーバ１２０と、ディスプレイ装置１３０、及びインターネット網２００を経て支店サーバ１２０に連結されると共に、コンテンツ保存ＤＢ３１１、参照情報サーバ３２１、及び多数のメディアサーバ３２２、３２３、３２４等と連結される本社サーバ３１０とに構成される。
【００３３】
ＰＯＳ端末機１１０は，例えば座薫カフェ、サウナ、貸し会議室場所等のように大衆が集まる場所に設けられる端末機として金銭登録器とコンピュータ端末機の機能が結合された端末機であって、売上金額を精算するである。それだけでなく、このような場所に顧客が入場する時、顧客各々の会員カ−ド、または割引のためのＩＤ入力で、個人情報を収集して支店サーバ１２０に伝送する。
【００３４】
支店サーバ１２０は、例えば座薫カフェ、サウナ、貸し会議室場所等に設けられるサーバとして、ＰＯＳ端末機１１０を通じて受信される顧客の個人情報がインターネット網２００を経て本社サーバ３１０に伝送し、なお、本社サーバ３１０から受信される複数のコンテンツを貯蔵することが出来るように支店ＤＢ１２１と連結されることであり、また、この支店ＤＢ１２１に貯蔵されるコンテンツは、設定された時間にディスプレイ装置１３０からディスプレイされるように処理することが出来る。
【００３５】
ディスプレイ装置１３０は、例えば座薫カフェ、サウナ、貸し会議室場所等に設けられるＴＶ、壁掛けＴＶ、スクリーン装置のようなディスプレイ装置であって、支店サーバ１２０に連結されて、設定された時間に前記支店ＤＢ１２１に貯蔵されたコンテンツをディスプレイするになる。
【００３６】
本社サーバ３１０は、インターネット網２００を介して前記支店サーバ１２０と連結されると共に、コンテンツ保存ＤＢ３１１、参照情報サーバ３２１、及び多数のメディアサーバ３２２、３２３、３２４に連結されて、前記多数のメディアサーバ３２２、３２３、３２４から受信される多様なメディアコンテンツを、参照情報サーバ３２１から受信された参照情報と結合して、コンテンツ保存ＤＢ３１１に貯蔵する。
【００３７】
特に、本社サーバ３１０は、インターネット網２００を経て前記支店サーバ１２０から受信される顧客の個人情報と、前記参照情報サーバ３２１から受信される参照情報とを一緒に分析し、その結果に多数の顧客を満足させることが出来るメディアコンテンツを、コンテンツ保存ＤＢ３１１から選び出すことが出来る。このように選別したメディアコンテンツはインターネット網２００を通じて、支店サーバ１２０に伝送される。
【００３８】
参照情報サーバ３２１は、本社サーバ３１０と連結されて、天気情報、季節警報、地域情報、文化情報、年齢層情報、各顧客のヒストリー情報等を含む参照情報を収集し、処理するサーバとして、本社サーバ３１０に受信される顧客の個人情報に対応する参照情報を伝送することが出来る。ここで、参照情報サーバ３２１から処理する参照情報には、各支店サーバ１２０が所在する地域の当該日付の天気予報を含む天候、季節に関する情報、その地域の文化行事情報、当該日付に観覧可能な文化芸術情報、各年齢代別に人気がある歌手、音楽、関心がある各種情報、そしてコンテンツ保存ＤＢ３１１から選別して伝送するメディアコンテンツが、前記ＰＯＳ端末機１１０から受信された訪問顧客がずっと以前に視聴したことがあるかの可否に関する顧客のヒストリー情報等を含まれる。
【００３９】
多数のメディアサーバ３２２、３２３、３２４は、例えば共用放送社、ケーブル放送社、映画社等のメディア媒体と連結されて、多様なメディアコンテンツを提供されることであって、本社サーバ３１０に連動して伝送することが出来る。
【００４０】
このように構成された知能型コンテンツ利用システムは、例えば座薫（よもぎ蒸し）カフェを訪問した場合に訪問顧客の個人情報は、座薫カフェに設けられるＰＯＳ端末機１１０を通じて収集され、こうして収集された個人情報は、支店サーバ１２０とインターネット網２００を経て本社サーバ３１０に伝送される。また、本社サーバ３１０は、参照情報を利用して前記支店サーバ１２０から受信された複数の訪問顧客を満足させるメディアコンテンツを支店サーバ１２０に伝送し、この支店サーバ１２０からディスプレイ装置１３０を通じて、設定された時間にディスプレイされるのである。
【００４１】
以下、このような知能型コンテンツ利用システムを利用するコンテンツ利用方法を、図２乃至図４を参照して具体的に説明する。
【００４２】
図２は、本発明の実施例によるコンテンツ利用方法を説明するためのフローチャートであり、図３と、図４は本発明の実施例によるコンテンツ利用方法を説明するための例示図である。
【００４３】
図２に示されているように、本発明による知能型コンテンツ利用方法は、まず、顧客が座薫カフェを訪問した場合に、そこに設けられるＰＯＳ端末機１１０を通じて、訪問顧客の会員カ−ド、または割引のためにＩＤカ−ドの個人情報を収集し、支店サーバ１２０に伝送して認識する（Ｓ１０１）。
【００４４】
ここで、ＰＯＳ端末機１１０を通じて入力される個人情報には、訪問顧客の氏名、性別、訪問日付と時間、年齢等が含まれ、こうして個人情報は支店サーバ１２０に伝送されて多数の訪問顧客に含まれて認識されることが出来る。
【００４５】
ＰＯＳ端末機１１０から訪問顧客の個人情報が入力される支店サーバ１２０は、インターネット網２００を経て多数の訪問顧客に関する情報を、前記本社サーバ３１０に伝送するけれども、多数の訪問顧客のためのコンテンツ要求情報を本社サーバ３１０に伝送する（Ｓ１０２）。
【００４６】
もう詳しくは、支店サーバ１２０から本社サーバ３１０に伝送されるコンテンツ要求情報が、年齢別、性別、天気等に対して訪問顧客、例えば２０代女性らと５０代主婦ら、及び男子学生らの場合に、このように多様な年齢層の訪問顧客らを満足させることが出来るメディアコンテンツを要求することでもある。
【００４７】
このようなコンテンツ要求情報により本社サーバ３１０は、支店サーバ１２０から受信された複数の訪問顧客を満足させるメディアコンテンツを、参照情報を利用してコンテンツ保存ＤＢ３１１から選び出すか、或いは多数のメディアサーバ３２２、３２３、３２４から直接コンテンツを受けて前記支店サーバ１２０に伝送する（Ｓ１０３）。
【００４８】
ここで、本社サーバ３１０が参照情報を利用して、支店サーバ１２０にメディアコンテンツを伝送する段階（Ｓ１０３）は、例えば本社サーバ３１０が２０代女性らと５０代主婦ら、及び男子学生らが訪問顧客の場合に、訪問顧客の個人情報を年齢別、性別、訪問回数、最終訪問時点等に分析し、参照情報サーバ３２１の参照情報を利用して、支店サーバ１２０が所在する地域の現在天気、季節、その地域の文化行事情報、当該日付に観覧可能な文化芸術情報、各年齢代別に人気がある歌手、音楽等を年齢別、性別等に分析した結果に程よいメディアコンテンツを、コンテンツ保存ＤＢ３１１から選び出して伝送することが出来る。この時、コンテンツ保存ＤＢ３１１に程よいメディアコンテンツが存在しなければ、本社サーバ３１０は多数のメディアサーバ３２２、３２３、３２４にコンテンツ要求情報を伝送し、これらのメディアサーバ３２２、３２３、３２４中で選択的に直接コンテンツを受けて、支店サーバ１２０に伝送することも出来る。
【００４９】
このように伝送されたメディアコンテンツは、支店サーバ１２０によってディスプレイ装置１３０から実時間にディスプレイされるか、或いは、支店ＤＢ１２１に設定時間と共に保存される後、ディスプレイ装置１３０から設定時間にディスプレイされるようにすることが出来る（Ｓ１０４）。
【００５０】
例えば、２０代女性らと５０代主婦ら、及び男子学生らの訪問顧客に対して、支店サーバ１２０が所在する地域の現在天気が曇る天気の場合に、本社サーバ３１０から伝送されたメディアコンテンツが、訪問顧客皆を満足させる映像として、図３に示したように、きれいな湖水を含むメディアコンテンツであれば、このようなメディアコンテンツはディスプレイ装置１３０から実時間にディスプレイされるか、または、正規ＴＶ放送スケジュールによってディスプレイ時間が設定される場合には、その設定時間と共に支店ＤＢ１２１に保存されて、特定のディスプレイ設定時間にディスプレイされるようにすることが出来る。
【００５１】
また、訪問顧客らの年齢層が１０代青少年の場合に、本社サーバ３１０から伝送されたメディアコンテンツは、図４に示したように、１０代青少年らに人気があるガールズグループのミュージックビデオとして、前記ディスプレイ装置１３０から実時間にディスプレイされるか、または、正規ＴＶ放送スケジュールによってディスプレイ時間が設定される場合には、その設定時間と共に支店ＤＢ１２１に保存されて、特定のディスプレイ設定時間にディスプレイされるようにすることが出来る。
【００５２】
本発明の技術思想は、前記望ましい実施例により具体的に記述されたが、前述した実施例は、その説明のためのものであり、その制限のためのものでないことに有意しなければならない。
【００５３】
また、本発明の技術分野の通常の専門家ならば、本発明の技術思想の範囲内で多様な実施が可能することを理解するはずである。
【図３】
2014510983.tif 000003
【図４】
2014510983.tif 000004
【図１】
2014510983.tif 000005
【図２】
2014510983.tif 000006
【国際調査報告】
2014510983.tif 000007
2014510983.tif 000008
2014510983.tif 000009
2014510983.tif 000010